(57)【要約】【課題】壁紙等の煙汚れに関する試験を迅速に行える煙汚れ試験システム等を提供する。【解決手段】搬送中の壁紙４の幅方向の端部をカッター２１によって搬送方向に沿って切り離し、試験体４ｂとして試験ユニット３０に搬送する。試験ユニット３０では、まず色測定器３５により煙汚れ付着前の試験体４ｂの色を測定し、次に試験体４ｂが煙汚れ付着装置３１に搬送され、試験体４ｂに煙汚れが付着する。煙汚れ付着装置３１を出た試験体４ｂは、色測定器３７により煙汚れ付着後の色が測定され、続いて洗浄装置３３に搬送される。洗浄装置３３では試験体４ｂの煙汚れが洗浄により除去される。洗浄装置３３を出た試験体４ｂは、色測定器３９により煙汚れ除去後の色が測定される。【選択図】図１
2015010926.tif 000002
【特許請求の範囲】
【請求項１】
搬送されるシートの一部を切り離すシート切断手段と、
前記シート切断手段により切り離された前記シートの一部である試験体を搬送する搬送手段と、
前記試験体の搬送経路に設けられ、前記試験体に煙汚れを付着させる煙汚れ付着手段と、
前記試験体の搬送経路において前記煙汚れ付着手段の後段に設けられ、前記試験体の色を測定する色測定手段と、
を具備することを特徴とする煙汚れ試験システム。
【請求項２】
前記試験体の搬送経路において前記煙汚れ付着手段の後段に配置され、煙汚れが付着した前記試験体を洗浄する洗浄手段をさらに具備し、
前記色測定手段は、前記試験体の搬送経路において、前記洗浄手段の後段に配置されることを特徴とする請求項１に記載の煙汚れ試験システム。
【請求項３】
前記試験体の搬送経路において、前記煙汚れ付着手段と前記洗浄手段の間に、前記試験体の色を測定する色測定手段がさらに設けられることを特徴とする請求項２に記載の煙汚れ試験システム。
【請求項４】
前記洗浄手段は、前記試験体に洗浄液を塗布した後、前記洗浄液を吸収することを特徴とする請求項２または請求項３に記載の煙汚れ試験システム。
【請求項５】
前記試験体の搬送経路において、前記煙汚れ付着手段の前段に、前記試験体の色を測定する色測定手段がさらに設けられることを特徴とする請求項１乃至請求項４のいずれかに記載の煙汚れ試験システム。
【請求項６】
前記煙汚れ付着手段は、原液を加熱して煙を発生させ、搬送中の前記試験体を前記煙と接触させて煙汚れを付着させることを特徴とする請求項１乃至請求項５のいずれかに記載の煙汚れ試験システム。
【請求項７】
搬送されるシートの一部をシート切断手段によって切り離すステップと、
前記シート切断手段により切り離された前記シートの一部である試験体を搬送手段で搬送するステップと、
前記試験体の搬送経路に設けられた煙汚れ付着手段により、前記試験体に煙汚れを付着させるステップと、
前記試験体の搬送経路において前記煙汚れ付着手段の後段に設けられた色測定手段により、前記試験体の色を測定するステップと、
を具備することを特徴とする煙汚れ試験方法。
【発明の詳細な説明】
【技術分野】
【０００１】
本発明は、壁紙等のタバコなどの煙汚れに関する試験を行う煙汚れ試験システム、煙汚れ試験方法に関する。
【背景技術】
【０００２】
壁紙の性能の一つとして、タバコなどの煙汚れに対する抵抗性がある。煙汚れに対する抵抗性としては、煙汚れの付着しにくさや、付着した煙汚れの除去しやすさなどがある。例えば特許文献１には、構成体の表面に付着したタバコのヤニに対し、光線照射手段から青色系の波長の光線を照射することで汚れを除去できることが記載されている。
【０００３】
壁紙に対するタバコの煙汚れの試験としては、喫煙所等の密閉空間に、製造後の壁紙とタバコを入れ、蛍光灯の下で所定時間、例えば２０時間以上所定の室温で放置した後、煙汚れの付着の程度を調べたり、壁紙を洗浄して汚れの除去の度合いを検査する方法が従来一般的であった。
【先行技術文献】
【特許文献】
【０００４】
【特許文献１】特開２００８−２１２７６７号公報
【発明の概要】
【発明が解決しようとする課題】
【０００５】
しかしながら、上記のような従来の試験方法は、試験結果が出るまでに時間がかかり、煙汚れに対する抵抗性を評価するまでに時間がかかるという問題があった。
【０００６】
本発明は、前述した問題点に鑑みてなされたものであり、その目的は、壁紙等の煙汚れに関する試験を迅速に行える煙汚れ試験システム等を提供することにある。
【課題を解決するための手段】
【０００７】
前述した目的を達成するための第１の発明は、搬送されるシートの一部を切り離すシート切断手段と、前記シート切断手段により切り離された前記シートの一部である試験体を搬送する搬送手段と、前記試験体の搬送経路に設けられ、前記試験体に煙汚れを付着させる煙汚れ付着手段と、前記試験体の搬送経路において前記煙汚れ付着手段の後段に設けられ、前記試験体の色を測定する色測定手段と、を具備することを特徴とする煙汚れ試験システムである。
【０００８】
第１の発明では、壁紙などのシートの一部を搬送中に切り離し、これを試験体として煙汚れ付着手段により煙汚れを付着させ、その後の試験体の色を測定する。これにより、壁紙の製造中などで、タバコなどの煙汚れへの抵抗性についてインラインで迅速に試験を行うことが可能になる。また、測定値に基づいて定量的に煙汚れへの抵抗性を評価することが可能になり、効果的な品質保証が可能になる。
【０００９】
第１の発明の煙汚れ試験システムは、前記試験体の搬送経路において前記煙汚れ付着手段の後段に配置され、煙汚れが付着した前記試験体を洗浄する洗浄手段をさらに具備し、前記色測定手段は、前記試験体の搬送経路において、前記洗浄手段の後段に配置されることが望ましい。
これにより、試験体に煙汚れを付着させ、煙汚れを洗浄した後の色を測定することができ、煙汚れの付着しにくさと除去しやすさのトータルの評価が可能になる。
【００１０】
前記試験体の搬送経路において、前記煙汚れ付着手段と前記洗浄手段の間に、前記試験体の色を測定する色測定手段がさらに設けられることが望ましい。
これにより、煙汚れが付着した後の試験体の色を測定することができ、煙汚れの付着しにくさが評価可能になる。また、洗浄後の試験体の色と比較することで、煙汚れの除去しやすさも評価可能になる。
【００１１】
前記洗浄手段は、前記試験体に洗浄液を塗布した後、前記洗浄液を吸収することが望ましい。
水や洗剤などの洗浄液を試験体に塗布した後、洗浄液を除去することで、洗浄液中の煙汚れが除去される。こうして家庭における一般的な煙汚れの洗浄過程を再現でき、このような条件下での煙汚れの除去の評価が行える。
【００１２】
前記試験体の搬送経路において、前記煙汚れ付着手段の前段に、前記試験体の色を測定する色測定手段がさらに設けられることが望ましい。
煙汚れが付着する直前の試験体の色を測定することで、この色との比較によって煙汚れへの抵抗性に関してより正確な評価が可能になる。
【００１３】
前記煙汚れ付着手段は、原液を加熱して煙を発生させ、搬送中の前記試験体を前記煙と接触させて煙汚れを付着させることが望ましい。
これにより、簡易な構成で容易に煙汚れを付着させることができる。
【００１４】
第２の発明は、搬送されるシートの一部をシート切断手段によって切り離すステップと、前記シート切断手段により切り離された前記シートの一部である試験体を搬送手段で搬送するステップと、前記試験体の搬送経路に設けられた煙汚れ付着手段により、前記試験体に煙汚れを付着させるステップと、前記試験体の搬送経路において前記煙汚れ付着手段の後段に設けられた色測定手段により、前記試験体の色を測定するステップと、を具備することを特徴とする煙汚れ試験方法である。
【発明の効果】
【００１５】
本発明により、壁紙等の煙汚れに関する試験を迅速に行える煙汚れ試験システム等を提供することが可能になる。
【図面の簡単な説明】
【００１６】
【図１】煙汚れ試験システム１を示す図
【図２】カッター２１周辺を示す図
【図３】煙汚れ付着装置３１を示す図
【図４】洗浄装置３３を示す図
【図５】情報処理装置４０のハードウェア構成を示す図
【図６】煙汚れ試験方法を示すフローチャート
【図７】洗浄装置３３ａを示す図
【発明を実施するための形態】
【００１７】
以下、本発明の実施形態を図面を参照しながら詳細に説明する。
【００１８】
［第１の実施形態］
（１．煙汚れ試験システム１）
図１は、本発明の第１の実施形態に係る煙汚れ試験システム１を示す図である。煙汚れ試験システム１は、壁紙を製造する壁紙製造システム１０に設けられ、壁紙の製造中にインラインで壁紙のタバコの煙汚れへの抵抗性に関する試験を行うものである。
【００１９】
壁紙製造システム１０は、給紙ロール１１、エンボス加工装置１３、巻取ロール１７などからなる。
【００２０】
壁紙製造システム１０は、紙などの基材上に樹脂層を設けた樹脂シート４にエンボス加工を施し、壁紙を製造するものである。エンボス加工前の樹脂シート４は、給紙ロール１１でロール状に巻き付けられる。樹脂シート４は給紙ロール１１から巻出して搬送され、搬送経路の途中にあるエンボス加工装置１３によりエンボス加工が施される。
【００２１】
エンボス加工装置１３は既知のものであるが、簡単に説明すると、壁紙の表面形状に対応する表面形状を有するエンボスロール（不図示）を樹脂シート４の樹脂層に押圧してエンボス加工を行い、樹脂シート４に壁紙の表面形状を形成するものである。エンボス加工装置１３から出たエンボス加工後の樹脂シート４（以下、壁紙ということがある）は、巻取ロール１７に向けて搬送される。
【００２２】
図２に示すように、壁紙４の搬送経路の途中にはスリッターなどのカッター２１が設けられる。カッター２１は、壁紙４の一部を切断して切り離す切断手段である。本実施形態では、カッター２１が、図の矢印Ａで示す壁紙４の搬送方向と直交する壁紙４の幅方向の端部から所定の間隔を空けて配置され、壁紙４の幅方向の端部を搬送方向に沿って切断する。
【００２３】
カッター２１によって切り離された壁紙４の端部は、試験体４ｂとして試験ユニット３０へと搬送される。一方、残りは製品部分４ａとして搬送され、巻取ロール１７で巻き取られる。
【００２４】
図１の説明に戻る。本実施形態の煙汚れ試験システム１は、上記の試験体４ｂについて、煙汚れの付着とその除去に関する試験を行うものである。煙汚れ試験システム１は、上記したカッター２１に加え、搬送ローラー２２ａ、２２ｂ、巻取ロール２３、試験ユニット３０、情報処理装置４０等で構成される。
【００２５】
搬送ローラー２２ａ、２２ｂ、巻取ロール２３等は試験体４ｂを搬送する搬送手段である。試験体４ｂは、これらの搬送手段によって搬送され、試験ユニット３０を通過した後、巻取ロール２３で巻き取られる。必要に応じてダンサーローラーなどをさらに設け、試験体４ｂの搬送速度と壁紙４の搬送速度の差により生じる搬送長の差を吸収することなども可能である。
【００２６】
試験ユニット３０は、搬送中の試験体４ｂに対して煙汚れの付着と除去に関する試験を行うものである。試験ユニット３０は、煙汚れ付着装置３１、洗浄装置３３、色測定器３５、３７、３９等を有する。
【００２７】
煙汚れ付着装置３１は、煙を発生させ、試験体４ｂに煙汚れを付着させる煙汚れ付着手段である。
【００２８】
図３に煙汚れ付着装置３１の例を示す。図３に示すように、煙汚れ付着装置３１は、煙炉部５０、煙発生部５３、煙噴出部５４等で構成される。
【００２９】
煙炉部５０は煙６１が充満した箱体であり、その内部を試験体４ｂが通過する。試験体４ｂは、矢印Ｂで示す搬送方向に搬送され、煙炉部５０内の通過中に煙汚れが付着する。煙炉部５０の両側面には、試験体４ｂの入口と出口となるスリット５０ａが設けられる。
【００３０】
煙発生部５３は、煙６１の発生源となる原液６０を貯留した容器に、原液６０を加熱するためのヒーター５３１を設けたものである。本実施形態ではタバコの煙汚れに関して試験を行うので、原液６０は、ニコチン液やタール液、あるいはこれらを混合したものなどとする。ただしこれに限ることはなく、例えば原液６０を油とし、油煙による汚れを模した試験を行うことも可能である。
【００３１】
原液６０はヒーター５３１で加熱することによってガス化し、煙６１となって煙発生部５３の上部に設けた孔５３３から煙噴出部５４の流路５４１に流入する。煙噴出部５４では、流路５４１へ圧縮空気６２を送り込むことで、流路５４１内の煙６１を流路５４１に設けた１または複数の煙噴出孔５４３から噴出させる。
【００３２】
煙噴出孔５４３から噴出した煙６１は煙炉部５０内に充満し、煙炉部５０内を通る試験体４ｂに接触する。これにより、試験体４ｂに煙６１の汚れ成分が付着する。この汚れ成分はタールやニコチン等である。なお、前記した油煙の場合には汚れ成分は油となる。
【００３３】
煙炉部５０内での煙６１の濃度、試験体４ｂの搬送速度などは、加速試験を行うために適切な値に定められる。例えば煙６１の濃度は、前述した従来の試験に比べ１０倍程度濃くし、試験体４ｂの搬送速度は、試験体４ｂの煙炉部５０内での滞在時間が適切な値となるように定める。
【００３４】
煙炉部５０の各スリット５０ａの近辺には、局所排気部５９が設けられる。局所排気部５９は、スリット５０ａから流出する煙６１を吸引する。吸引された煙６１は、流路５４１などに戻すようにしてもよい。
【００３５】
図１の説明に戻る。洗浄装置３３は、試験体４ｂの搬送経路において煙汚れ付着装置３１の後段に設けられる。洗浄装置３３は、試験体４ｂに付着した煙汚れを洗浄により除去する洗浄手段である。
【００３６】
図４に洗浄装置３３の例を示す。図４に示すように、洗浄装置３３は、液浸ロール３３１、吸液ロール３３３、乾燥ノズル３３５等で構成される。
【００３７】
液浸ロール３３１は、矢印Ｃで示す方向に搬送される試験体４ｂに接触して回転する。液浸ロール３３１は、例えばスポンジロールであり、容器に入った洗浄液７０に浸される。液浸ロール３３１は、回転することにより試験体４ｂに洗浄液７０を塗布し、付着させる。洗浄液７０は、例えば水や市販の洗剤などであるが、これに限ることはない。
【００３８】
吸液ロール３３３は、試験体４ｂに付着した洗浄液７０を吸収し、除去するものである。吸液ロール３３３で洗浄液７０を吸収することで、洗浄液７０に含まれる煙汚れが試験体４ｂから取り除かれる。吸液ロール３３３としては、例えば特許第４４８４１６８号の機能性ロールのように、多孔質のロール表面を有し円筒状のロール軸から吸引を行うものを用いることができる。
【００３９】
乾燥ノズル３３５は、試験体４ｂに熱風等を吹き付けて乾燥させるものである。
【００４０】
図１の説明に戻る。色測定器３５、３７、３９は、搬送中の試験体４ｂの色を測定する色測定手段である。色測定器３５、３７、３９は、それぞれ、試験体４ｂの搬送経路において煙汚れ付着装置３１の前段、煙汚れ付着装置３１と洗浄装置３３の間、洗浄装置３３の後段に設けられる。色測定器３５、３７、３９は、それぞれ、煙汚れが付着する直前の試験体４ｂの色、煙汚れが付着した試験体４ｂの色、煙汚れを洗浄した後の試験体４ｂの色を測定する。
【００４１】
色測定器３５、３７、３９としては、受光部や制御部等を有する色彩計や測色計を用いることができる。色測定器３５、３７、３９は、例えば、試験体４ｂの色として三刺激値（ＸＹＺ値）を計測し、三刺激値から、ＣＩＥ  Ｌａｂ表色系等、ＣＩＥ（Commission International de l’Eclairage）の表色系に基づき色を数値化する。これにより、試験体４ｂの色の測定が行われる。なお、各色測定器３５、３７、３９による色の測定は、色測定器と試験体４ｂに対し適切な位置関係となるように配置した所定の照明（不図示）を光源として行い、測定時にはその他の光の影響がないようにしておくことが望ましい。
【００４２】
色測定器３５、３７、３９は、情報処理装置４０と接続される。情報処理装置４０は、色測定器３５、３７、３９による測定値、例えばＣＩＥ  Ｌａｂ表色系におけるＬ、ａ、ｂ値を取得し、これを表示したり、測定値を記録して各色測定器３５、３７、３９の測定値の差として色差を算出する。例えばＣＩＥ  Ｌａｂ表色系における色差は、Ｌ軸、ａ軸、ｂ軸による座標空間における２色間の距離として算出できる。
【００４３】
図５に情報処理装置４０のハードウェア構成の例を示す。図５に示すように、情報処理装置４０は、例えば、制御部４１、記憶部４２、メディア入出力部４３、通信制御部４４、入力部４５、表示部４６、周辺機器インタフェース部４７等が、バス４８を介して接続された一般的なコンピュータで実現できる。
【００４４】
制御部４１は、ＣＰＵ、ＲＯＭ、ＲＡＭ等で構成される。
ＣＰＵは、記憶部４２、ＲＯＭ、記録媒体等に格納されるプログラムをＲＡＭ上のワークメモリ領域に呼び出して実行し、バス４８を介して接続された各部を駆動制御し、情報処理装置４０の処理を実行する。ＲＯＭは、不揮発性メモリであり、コンピュータのブートプログラムやＢＩＯＳ等のプログラム、データ等を恒久的に保持している。ＲＡＭは、揮発性メモリであり、記憶部４２、ＲＯＭ、記録媒体等からロードしたプログラム、データ等を一時的に保持するとともに、制御部４１が各種処理を行うために使用するワークエリアを備える。
【００４５】
記憶部４２は、ハードディスクドライブ等であり、制御部４１が実行するプログラム、プログラム実行に必要なデータ、ＯＳ等が格納される。プログラムとしては、例えば、前記したように色測定器３５、３７、３９による測定値から色差を求めるプログラムが格納される。
【００４６】
メディア入出力部４３はデータの入出力を行うものであり、例えばＤＶＤドライブ等のメディア入出力装置を有する。
通信制御部４４は、通信制御装置、通信ポート等を有し、ネットワークを介して他の装置との通信制御を行う。ネットワークは、有線、無線を問わない。
【００４７】
入力部４５は、データの入力を行い、例えば、キーボード、マウス等のポインティングデバイス、テンキー等の入力装置を有する。
表示部４６は、ＣＲＴモニタ、液晶パネル等のディスプレイ装置である。
【００４８】
周辺機器インタフェース部４７は、周辺機器を接続させるためのポートなどである。周辺機器との接続形態は有線、無線を問わない。
バス４８は、各部間の制御信号、データ信号等の授受を媒介する経路である。
【００４９】
（２．煙汚れ試験方法）
次に、煙汚れ試験システム１による煙汚れ試験方法について、図６を参照しながら説明する。
【００５０】
煙汚れ試験システム１では、エンボス加工装置１３によってエンボス加工された壁紙４の搬送中、カッター２１によって幅方向の端部を試験体４ｂとして切り離し（Ｓ１０１）、試験ユニット３０へと搬送する。
【００５１】
試験ユニット３０では、まず色測定器３５により煙汚れが付着する直前の試験体４ｂの色が測定される（Ｓ１０２）。
【００５２】
試験体４ｂは、次に煙汚れ付着装置３１に搬送される。煙汚れ付着装置３１では、前記したように試験体４ｂに煙汚れが付着する（Ｓ１０３）。
【００５３】
煙汚れ付着装置３１を出た試験体４ｂは、色測定器３７により、煙汚れ付着後の色が測定される（Ｓ１０４）。
【００５４】
試験体４ｂは、続いて洗浄装置３３に搬送される。洗浄装置３３では、前記したように、試験体４ｂの煙汚れが洗浄により除去される（Ｓ１０５）。
【００５５】
洗浄装置３３を出た試験体４ｂは、色測定器３９により、煙汚れ除去後の色が測定される（Ｓ１０６）。これにより試験体４ｂの煙汚れ試験が行われ、試験後の試験体４ｂが巻取ロール２３で巻き取られて回収される。各色測定器３５、３７、３９は、試験体４ｂの搬送中、継続して試験体４ｂの色の測定を行い、その結果が情報処理装置４０に送信される。
【００５６】
以上の煙汚れ試験は、壁紙製造システム１０による壁紙４の製造と並行してインラインで行われる。前記したように、各色測定器３５、３７、３９の測定値については、試験中、情報処理装置４０の表示部４６に測定値の変動を表示したり、測定値から色差を求めることが可能である。この色差についても、試験中に表示部４６などで色差の変動を表示したり、あるいは試験後にデータとして表示、出力することが可能である。
【００５７】
情報処理装置４０は、色測定器３５、３７、３９から送られる測定値について色差を算出する際、例えば同一時点での各色測定器３５、３７、３９の測定値の色差を算出することができるが、これに限ることはない。その他、壁紙４の全長や壁紙４のパターン１つ分などにあたる所定期間の測定値の平均値を算出し、この平均値について色差を算出してもよい。
【００５８】
あるいは、試験体４ｂの同一部分の測定値について色差を求めることも可能である。例えば、ある時点における色測定器３５での測定値と、その時点から色測定器３５、３９間の搬送に必要な所定時間だけ経過した時点の色測定器３９での測定値を比較する。これにより、試験体４ｂの同一部分について、色測定器３５、３９での測定値から色差を求めることが可能である。
【００５９】
色差の評価としては、色測定器３５、３９の測定値の色差から、壁紙４への煙汚れの付着しにくさと除去しやすさをトータルで評価することができる。より細かい評価としては、色測定器３５、３７の測定値の色差から、壁紙４への煙汚れの付着しにくさが評価できる。あるいは、色測定器３７、３９の測定値の色差から、煙汚れの除去しやすさも評価できる。情報処理装置４０は、例えばこれらの色差を閾値と比較し、良否を判定してその結果を表示、出力することも可能である。この他、色測定器３７、３９での測定値が所定の許容範囲を外れるか外れないか等の判定、評価も可能である。
【００６０】
これにより、壁紙４の製品について、煙汚れの付着しにくさや除去しやすさの評価を定量的に提示することが可能となり、製品の品質保証を効果的に行うことが可能になる。
【００６１】
以上説明したように、本実施形態では、壁紙４の一部を、搬送中にカッター２１により切り離し、これを試験体４ｂとして煙汚れ付着装置３１により煙汚れを付着させ、その後の試験体４ｂの色を測定する。これにより、壁紙４の製造中などで、タバコなどの煙汚れの付着しにくさや除去しやすさなど、煙汚れへの抵抗性についてインラインで迅速に試験を行うことが可能になる。また、測定値に基づいて定量的に煙汚れへの抵抗性を評価することが可能になり、効果的な品質保証が行える。さらに、本実施形態では、壁紙４の搬送中、カッター２１により試験体４ｂを常時切り離しながら試験できるので、シートの全長に渡る試験を行うことで信頼性が高まる利点もある。
【００６２】
また、本実施形態では、色測定器３９により、煙汚れの付着、除去後の試験体４ｂの色を測定する。これにより、煙汚れの付着しにくさと除去しやすさのトータルの評価が可能になる。さらに、色測定器３７により煙汚れが付着した試験体４ｂの色を測定することで、煙汚れの付着しにくさが別途評価可能になる。また色測定器３９で測定した洗浄後の試験体４ｂの色と比較することで、煙汚れの除去しやすさも別途評価可能である。例えば洗浄液７０の種類を変えながら煙汚れの除去しやすさの評価を行うことも可能であり、これにより洗浄液７０の性能評価を行うこともできる。
【００６３】
また、本実施形態では、色測定器３５により、煙汚れが付着する直前の試験体４ｂの色を測定する。これにより、色測定器３７、３９の測定値を色測定器３５の測定値と比較し、煙汚れの付着しにくさや除去しやすさの評価を行うことができる。色測定器３７、３９の測定値は、予め理想値として設定した壁紙４の色と比較して評価を行うこともできるが、煙汚れが付着する直前の試験体４ｂの色を比較に用いることで、煙汚れへの抵抗性に関してより正確な評価が可能になる。
【００６４】
また、洗浄装置３３では、試験体４ｂに洗浄液７０を塗布した後、洗浄液７０を除去することで洗浄液７０中の煙汚れを除去するので、家庭における一般的な煙汚れの洗浄過程を再現でき、このような条件下での煙汚れの除去の評価が行える。
【００６５】
また、煙汚れ付着装置３１では、原液６０を加熱して煙６１を発生させ、搬送中の試験体４ｂを煙６１と接触させることにより、簡易な構成で容易に煙汚れを付着させることができる。
【００６６】
ただし、本発明は上記した実施形態に限ることはない。例えば本実施形態では、煙汚れ試験システム１を、エンボス加工装置１３を備えた壁紙製造システム１０に設けたが、これに限ることはない。例えば表面に印刷を施した印刷壁紙のように、エンボス加工を行わない壁紙であっても、壁紙を搬送しつつその一部を切り離して試験体４ｂとし、煙汚れ試験システム１により同様の試験を行うことが可能である。
【００６７】
また、試験対象も壁紙に限ることはなく、煙汚れについて試験する必要があるテープや各種シート類など、シート状のものであればよい。さらに、試験対象はロール状のものに限らず、枚葉状のものであってもよい。この場合もカッターなどで試験体を切り離し、上記と同様の試験を行うことが可能である。
【００６８】
さらに、本実施形態ではカッター２１により壁紙４の幅方向の端部を切り離したが、試験体４ｂとして用いる箇所は製品部分４ａ以外であればよく、例えば幅方向の中央部分をカッター２１で切り離し、試験体４ｂとすることも可能である。
【００６９】
また、煙汚れ付着装置３１や洗浄装置３３の構成も本実施形態で説明したものに限らず、様々な構成を採ることが可能である。さらに、必要に応じて、色測定器３７あるいは色測定器３９を省略することなども可能である。
【００７０】
加えて、本実施形態では色測定器３５、３７、３９の測定値の差を色差により算出し、評価に用いたが、これに限ることはない。例えばＣＩＥ  Ｌａｂ表色系であれば、Ｌ値のみに着目し、Ｌ値の差を評価に用いることも可能である。あるいは前記した三刺激値の差を評価に用いることも可能である。
【００７１】
[第２の実施形態]
次に本発明の第２の実施形態について説明する。第２の実施形態は、第１の実施形態と洗浄装置の構成において異なる例である。
【００７２】
第２の実施形態の洗浄装置３３ａを図７に示す。この洗浄装置３３ａは、ノズル３３１ａで洗浄液７０を試験体４ｂに吹き付けて塗布し、付着させる点で第１の実施形態と異なる。その他の点は第１の実施形態と同様であるので、図等で同じ符号を付すなどして説明を省略する。
【００７３】
この第２の実施形態でも、第１の実施形態と同様の効果が得られる。また、家庭において、スプレー噴射式の容器に入った洗剤などを壁紙に吹き付ける様子を好適に再現できる利点もある。一方、第１の実施形態のように液浸ロール３３１を用いる場合は、洗浄液などを浸した布で壁紙を拭く様子を好適に再現できる。
【００７４】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００７５】
１………煙汚れ試験システム
４………樹脂シート（壁紙）
４ａ………製品部分
４ｂ………試験体
１０………壁紙製造システム
２１………カッター
３０………試験ユニット
３１………煙汚れ付着装置
３３………洗浄装置
３５、３７、３９………色測定器
４０………情報処理装置
【図１】
2015010926.tif 000003
【図２】
2015010926.tif 000004
【図３】
2015010926.tif 000005
【図４】
2015010926.tif 000006
【図５】
2015010926.tif 000007
【図６】
2015010926.tif 000008
【図７】
2015010926.tif 000009